(57)【要約】【課題】白黒画像形成時の画素密度を変化させうる光書込み装置を提供する。【解決手段】光書込み装置に、光ビームＬ３，Ｌ４を照射するレーザダイオード（光源）ＬＤ３，ＬＤ４を備えた光源ユニットと、そこから照射された光ビームＬ３，Ｌ４が感光体ドラム（像担持体）上の副走査方向に所定のビームピッチで照射されるよう合成するビーム合成プリズム（合成手段）５４とを備え、フルカラーモード時には、光ビームＬ３，Ｌ４がビーム合成プリズム５４を透過しないよう、ステッピングモータがビーム合成プリズム５４を回動させて、少なくとも４以上の光ビームを感光体ドラムに照射して各色の潜像を形成し、白黒モード時には、複数の光ビームがビーム合成プリズム５４を透過するよう、合成プリズム５４が回動して、合成プリズム５４で少なくとも２以上の光ビームを合成し、感光体ドラムに照射して黒色の潜像を形成する。【選択図】図６
2005091546.tif 000002
【特許請求の範囲】
【請求項１】
光ビームを照射する複数の光源を備えた複数の光源ユニットと、
該複数の光源ユニットから照射された前記複数の光ビームが１または複数の像担持体上の副走査方向に所定のビームピッチで照射されるよう合成する合成手段と、
該合成手段を傾ける駆動手段と、
前記複数の光源ユニットから照射された複数の光ビームを主走査方向に偏向する偏向手段とを備えた光書込み装置において、
フルカラーモード時には、前記複数の光ビームが前記合成手段を透過しないよう、前記駆動手段が前記合成手段を回動させて、少なくとも４以上の光ビームを前記像担持体に照射して各色の潜像を形成し、
白黒モード時には、前記複数の光ビームが前記合成手段を透過するよう、前記駆動手段が前記合成手段を回動させて、前記合成手段で少なくとも２以上の光ビームを合成し、前記像担持体に照射して黒色の潜像を形成することを特徴とする光書込み装置。
【請求項２】
前記合成手段にて前記２以上の光ビームの副走査方向のビームピッチを画素密度に応じて調整することを特徴とする請求項１に記載の光書込み装置。
【請求項３】
前記駆動手段は、前記合成手段を回動させることにより傾けて、前記ビームピッチを調整することを特徴とする請求項１または２に記載の光書込み装置。
【請求項４】
検知手段を備え、該検知手段により複数の光ビームを識別することを特徴とする請求項１ないし３のいずれかに記載の光書込み装置。
【請求項５】
前記検知手段により検知された情報をもとに副走査方向の前記ビームピッチを調整することを特徴とする請求項１ないし４のいずれかに記載の光書込み装置。
【請求項６】
請求項１ないし５のいずれかに記載の光書込み装置を備えることを特徴とする画像形成装置。
【発明の詳細な説明】
【技術分野】
【０００１】
本発明は、光書込み装置およびそれを備えた、複写機、プリンタ、ファクシミリ、プロッタ等の画像形成装置に関する。
【背景技術】
【０００２】
従来のレーザプリンタなどに使用されるタンデム方式の光書込み装置はカラー画像形成に用いられるだけでなく、白黒画像形成にも用いられる。この白黒画像形成時の生産性を向上させるために、ブラック用の光源ユニットのみをマルチビーム構成にし、生産性の向上を行うものが提案されている（たとえば、特許文献１）。
また、マルチビーム構成の光源ユニットと、ビーム合成プリズムを用い、カラー画像形成時には複数の感光体へ各レーザビームで書込みを行い、白黒画像形成時には、１つの感光体へ複数のレーザビームによる書込みを行うものが提案されている（たとえば、特許文献２）。
【特許文献１】特開２００２−１３９８８４号公報
【特許文献２】特開２００１−２９６４９２号公報
【発明の開示】
【発明が解決しようとする課題】
【０００３】
しかしながら、上記特許文献１の場合、（１）光源ユニットが少なくとも４つは必要であり光書込み装置が大型化する、（２）白黒モード時ではカラー用の３つの光源ユニットは使用されず、カラーモード時では、ブラック用の光源ユニットでは複数の光ビームのうち１ビームのみが使用されるので、効率的に光源ユニットが使われていない、などの問題があった。
【０００４】
また、上記特許文献２の場合、（Ａ）副走査方向のピッチ切換えが出来ないため画素密度を可変とすることが出来ない、（Ｂ）合成手段が多少動いただけで等ピッチとならず、ビームピッチを正確に調整できない、（Ｃ）光ビームＬ３と光ビームＬ４の識別が出来ないため、光ビームＬ３と光ビームＬ４の潜像が入れ替わってしまう、（Ｄ）副走査方向の検知手段をもたないためピッチ調整は初期調整しか出来ず、画像形成装置内で不具合が発生した場合にビームピッチ調整が出来ない、などの問題があった。
そこでこの発明の目的は、白黒画像形成時の画素密度を変化させうる光書込み装置を提供することにある。
【課題を解決するための手段】
【０００５】
請求項１の発明は、光ビームを照射する複数の光源を備えた複数の光源ユニットと、
該複数の光源ユニットから照射された前記複数の光ビームが１または複数の像担持体上の副走査方向に所定のビームピッチで照射されるよう合成する合成手段と、
該合成手段を傾ける駆動手段と、
前記複数の光源ユニットから照射された複数の光ビームを主走査方向に偏向する偏向手段とを備えた光書込み装置において、
フルカラーモード時には、前記複数の光ビームが前記合成手段を透過しないよう、前記駆動手段が前記合成手段を回動させて、少なくとも４以上の光ビームを前記像担持体に照射して各色の潜像を形成し、
白黒モード時には、前記複数の光ビームが前記合成手段を透過するよう、前記駆動手段が前記合成手段を回動させて、前記合成手段で少なくとも２以上の光ビームを合成し、前記像担持体に照射して黒色の潜像を形成することを特徴とする。
【０００６】
請求項１の発明によれば、フルカラーモード時には、複数の光ビームが合成手段を透過しないよう、駆動手段が合成手段を回動させて、少なくとも４以上の光ビームを像担持体に照射して各色の潜像を形成し、白黒モード時には、複数の光ビームが合成手段を透過するよう、駆動手段が合成手段を回動させて、合成手段で少なくとも２以上の光ビームを合成し、像担持体に照射して黒色の潜像を形成するので、白黒モード時にはカラー用に使われていた光ビームを使用する。
【０００７】
請求項２の発明は、請求項１に記載の光書込み装置において、前記合成手段にて前記２以上の光ビームの副走査方向のビームピッチを画素密度に応じて調整することを特徴とする。
【０００８】
請求項２の発明によれば、合成手段にて２以上の光ビームの副走査方向のビームピッチを画素密度に応じて調整するので、副走査方向のピッチ切り替えが出来るため、白黒モード時の画素密度を可変とする。
【０００９】
請求項３の発明は、請求項１または２に記載の光書込み装置前記駆動手段は、前記合成手段を回動させることにより傾けて、前記ビームピッチを調整することを特徴とする。
【００１０】
請求項３の発明によれば、合成手段を回動させることにより傾けて、ビームピッチを調整するので、構成を簡単にしてビームピッチを調整可能とする。
【００１１】
請求項４の発明は、請求項１ないし３のいずれかに記載の光書込み装置において、検知手段を備え、該検知手段により複数の光ビームを識別することを特徴とする。
【００１２】
請求項４の発明によれば、検知手段を備え、その検知手段により複数の光ビームを識別することを特徴とするので、複数の光ビームを正確に識別することが可能となる。
【００１３】
請求項５の発明は、請求項１ないし４のいずれかに記載の光書込み装置において、前記検知手段により検知された情報をもとに副走査方向の前記ビームピッチを調整することを特徴とする。
【００１４】
請求項５の発明によれば、検知手段により検知された情報をもとに副走査方向のビームピッチを調整するので、副走査方向のビームピッチを検知し、最適なビームピッチを維持することが可能となる。
【００１５】
請求項６の発明は、請求項１ないし５のいずれかに記載の光書込み装置を備えることを特徴とする画像形成装置である。
【発明の効果】
【００１６】
請求項１に記載の発明によれば、フルカラーモード時には、複数の光ビームが合成手段を通過しないよう、駆動手段が合成手段を回動させて、少なくとも４以上の光ビームを像担持体に照射して各色の潜像を形成し、白黒モード時には、複数の光ビームが前成手段を通過するよう、駆動手段が合成手段を回動させて、合成手段で少なくとも２以上の光ビームを合成し、像担持体に照射して黒色の潜像を形成するので、カラーモード時は全ての光ビームを使用し、白黒モード時にはカラー用に使われていた光ビームを使用することができる。したがって、白黒画像形成時の画素密度を変化させうる光書込み装置を提供することができる。
【００１７】
請求項２に記載の発明によれば、合成手段にて２以上の光ビームの副走査方向のビームピッチを画素密度に応じて調整するので、副走査方向のピッチ切り替えが出来るため、白黒モード時の画素密度を変化させることができる。
【００１８】
請求項３に記載の発明によれば、合成手段を回動させることにより傾けて、ビームピッチを調整するので、構成を簡単にしてビームピッチを調整することができる。また、合成手段の回転角に応じてビームピッチが変化するため、ビームピッチ調整を正確に且つ容易に行うことができる。
【００１９】
請求項４に記載の発明によれば、検知手段を備え、その検知手段により複数の光ビームを識別することを特徴とするので、複数の光ビームを正確に識別することができる。また、光ビームＬ３と光ビームＬ４の識別が容易にでき、光ビームＬ３，Ｌ４の潜像が入れ替わることがなくなるため、高精度な画像形成をすることができる。
【００２０】
請求項５に記載の発明によれば、検知手段により検知された情報をもとに副走査方向のビームピッチを調整するので、一定間隔で副走査方向のビームピッチを検知し、調整することにより、常に最適なビームピッチを維持することが出来る。
【００２１】
請求項６に記載の発明によれば、請求項１ないし５のいずれかに記載の光書込み装置を備えるので、上記効果を有する画像形成装置を提供することができる。
【発明を実施するための最良の形態】
【００２２】
以下、本発明の一例としての光書込み装置を備えた画像形成装置の構成、動作及び作用について図示の実施例に基づいて詳細に説明する。図１は本発明の実施例を示す画像形成装置の概略構成図であり、図２は図１に示す画像形成装置に具備される光書込み装置の１例を示す図であって、光書込み装置の基板上面側の構成を示す平面図であり、図３は図２に示す光書込み装置のＡ−Ａ´線部分の断面構成を示す断面図である。
また、図４は図２に示す光書込み装置の構成から光源ユニット、光偏向器及び光学系を抜き出してその配置構成を示したものであり、図５は図３に示す光書込み装置の構成から光偏向器及び光学系を抜き出して配置構成を示したものである。
【００２３】
図１に示す画像形成装置は、複数の像担持体として、複数のドラム状の像担持体である光導電性感光体（以下、感光体ドラム）１，２，３，４を並置したフルカラー画像形成装置であり、この４つの感光体ドラム１，２，３，４は、例えば図に対して右から順にイエロー（Ｙ）、マゼンタ（Ｍ）、シアン（Ｃ）、ブラック（ＢＫ）の各色に対応した画像を形成するものである。なお、色の順序はこの限りではなく任意に設定してもよい。
【００２４】
その４つの感光体ドラム１，２，３，４の各々の周囲には、電子写真プロセスにより画像形成を行うための、帯電部６，７，８，９（帯電ローラ、帯電ブラシ、帯電チャージ等）と、光書込み装置５からの光ビームＬ１，Ｌ２，Ｌ３，Ｌ４露光部と、現像部１０，１１，１２，１３（Ｙ，Ｍ，Ｃ，ＢＫの各色の現像装置）と、転写搬送ベルト２２ａ及びその裏面に配置された転写手段１４，１５，１６，１７（転写ローラ、転写ブラシなど）を備えた転写搬送装置２２と、クリーニング部１８，１９，２０，２１（クリーニングブレード、クリーニングブラシ等）などが配設されており、それぞれの感光体ドラム１，２，３，４に各色画像形成を行うことが可能となっている。
【００２５】
より詳しく述べると、図１において、図中のＺ方向を鉛直上方向、Ｘ，Ｙ方向を水平方向とした場合、４つの感光体ドラム１，２，３，４の並設方向は水平面に対して傾斜しており、（なお、図１の場合はＸ方向に対して傾斜している）、転写搬送装置２２は４つの感光体ドラム１，２，３，４の並設方向と略平行となるように水平面に対して傾斜して配置され、転写材はその傾斜方向の下方側から給紙され転写搬送ベルト２２ａにより上方側に向けて４つの感光体ドラム１，２，３，４の転写部を順次搬送される構成であり、その転写材の搬送方向下流側で前記傾斜方向の上方側には定着装置２６が配設されている。
【００２６】
また、光書込み装置５は、４つの感光体ドラム１，２，３，４が並設された作像部の斜め上方に配置され、且つ光書込み装置５のハウジング５０は、４つの感光体ドラム１，２，３，４の並設方向と略平行となるように水平面（図中のＸ方向）に対して傾斜して配置されており、画像形成装置本体の傾斜したフレーム２９，３０に固定されている。
ここで、光書込み装置５は、図２，３，４，５に構成例を示すように、光ビームを照射する複数の光源を備えた２つの光源ユニット５２，５３と各光源ユニットから照射される光ビームＬ１，Ｌ２，Ｌ３，Ｌ４を対称な２方向の主走査方向に振り分けて偏向走査する光偏向器６２と、この光偏向器（偏向手段）６２と、この光偏向器６２を中心にして前記２方向に対称に配置され光偏向器６２により変更走査される複数の光ビームＬ１，Ｌ２，Ｌ３，Ｌ４をそれぞれ対応する感光体ドラム１，２，３，４の被走査面上に導き結像する光学系（結像用レンズ６３，６４，６９，７０，７１，７２、光路折り返し用ミラー６５，６６，６７，６８，７３．７４．７５，７６，７７，７８，７９，８０等の光学部材からなる）を備えており、これらの構成部材は一つのハウジング５０内に収納されている。
【００２７】
より具体的には、ハウジング５０は光偏向器６２や光学系が配設される基盤５０Ａと、基盤５０Ａの周囲を囲む枠上の側壁５０Ｂとを有すると共に、基盤５０Ａが側壁５０Ｂの略中央部に設けられてハウジング５０を上下に仕切る構造であり、２つの光源ユニット５２，５３はハウジング５０の側壁５０Ｂに配置され、光偏向器６２はハウジング５０の基盤５０Ａの略中央部に配置され、光学系を構成する光学部材結像用レンズ６３，６４，６９，７０，７１，７２、光路折り返し用ミラー６５，６６，６７，６８，７３．７４．７５，７６，７７，７８，７９，８０等は、基盤５０Ａの両面（上面側と下面側）に分けて配設されている。また、ハウジング５０の上部と下部にはカバー８７，８８が設けられており、下部側のカバー８７には光ビームを通過する開口が設けられ、その開口には防塵ガラス８３，８４，８５，８６が取り付けられている。
【００２８】
この光書込み装置５では、図示しない原稿読取装置（スキャナー）あるいは画像データ出力装置（パーソナルコンピュータ，ワードプロセッサ，ファクシミリの受信部など）から入力される色分解された画像データを光源駆動用の信号に変換し，それに従い各光源ユニット５２，５３内の光源（半導体レーザ（ＬＤ））を駆動して光ビームを出射する。各光源ユニット５２，５３から出射された光ビームは、面倒れ補正用のシリンドリカルレンズ５８，５９，６０，６１を通り、光偏向器６２に至り、ポリゴンモータ６２Ｃで等速回転される２段のポリゴンミラー６２ａ，６２ｂで対称な２方向に偏向走査される。
【００２９】
なお、図３，５の構成ではポリゴンミラーはＬ２，Ｌ３の光ビーム用と、Ｌ１，Ｌ４の光ビーム用の上下２段に分けた構成となっているが、一つの厚めのポリゴンミラ−で偏向走査する構成としてもよい。
【００３０】
光偏向器６２のポリゴンミラー６２ａ，６２ｂで２ビームずつ２方向に偏向走査された光ビームは、例えば上下２層構成のfθレンズ等からなる第１の結像用レンズ６３，６４をそれぞれ通過し、第１折り返しミラー６５，６６，６７，６８により折り返されて基盤５０Ａの開口部を通過した後、例えば長尺トロイダルレンズ等からなる第２の結像用レンズ６９，７０，７１，７２を通過し、第２折り返しミラー７３，７５，７７，７９、第３折り返しミラー７４，７６，７８，８０、防塵ガラス８３，８４，８５，８６を介して各色用の感光体ドラム１，２，３，４の被走査面上に照射され静電潜像を書き込む。
【００３１】
上記の構成の光書込み装置５においては、例えば光源ユニット５２がマゼンタ用及びイエロー用、光源ユニット５３がブラック用及びシアン用であり、光源ユニット５２，５３は光源である２つ以上の半導体レーザ（ＬＤ）とその半導体レーザの出射光束をコリメートするコリメートレンズから構成され、これらがホルダ等の保持部材で一体に保持されたマルチビーム構成である。
【００３２】
ここで本発明におけるマルチビーム光源ユニットからの光ビームの合成方法とピッチ調整の１例を図６、図７に示す。図６（ａ）において、説明を簡易にするため図中のＺ方向を鉛直上方向、Ｘ，Ｙ方向を水平方向とした。図６（ａ），（ｂ）において光源ユニット５３は、複数の光ビーム（本実施例においては２つの光ビーム）を同時に出射し得るマルチビーム光源として構成されている。すなわち、光源ユニット５３内には、各々図示しないＬＤ駆動部により個別に点灯制御される２個のレーザダイオードＬＤ３，ＬＤ４を発光源として備え、２個のレーザダイオードＬＤ３，ＬＤ４から出射される２つの光ビームをあたかも１つの光源から出射される如く合成して出射させる構成としている。
【００３３】
画像データである印字データを奇数行、偶数行に分け、図示しないＬＤ駆動部により２つのレーザダイオードＬＤ３，ＬＤ４をデータに合わせて点灯させる。そして第１のレーザダイオードＬＤ４からの光ビームは、コリメートレンズ６０により平行光束化され、ビーム合成プリズム５４の下部側に入射する。また、第２のレーザダイオードＬＤ３からの光ビームは、コリメートレンズ６１により平行光束化され、λ／２板５４ａに入射し、ここで偏光面を９０度回転された後、ビーム合成プリズム５４の上部側に入射し、ビーム合成プリズム（合成手段）５４内の傾斜面５４ｂで下方に向けて反射される。
【００３４】
図６（ａ）において、このビーム合成プリズム５４内の下部側には、第１のレーザダイオードＬＤ４の光軸に対して４５度傾けて配置された偏光分離面５４ｃが設けられており、この偏光分離面５４ｃは、第１のレーザダイオードＬＤ４からの光ビームは透過するが、第２のレーザダイオードＬＤ３からの光ビームは偏光面が９０度回転されているので偏光分離面５４ｃで反射されることにより、何れの光ビームもビーム合成プリズム５４を透過して同方向に出射される。また、この出射に際しては、２つの光ビームをλ／４板５４ｄを通すことにより、２つのレーザダイオードＬＤ３，ＬＤ４による光ビームの偏光状態を近づける。
【００３５】
ここで図６（ａ）は白黒モード時のビーム合成プリズム５４の姿勢を示しており、前記光ビームの合成方法により２つの光ビームを近接して出射する。このとき、２つの光ビームがビーム合成プリズム５４を透過するようステッピングモータ（駆動手段）５７（図２）がビーム合成プリズム５４を回動させて、２つの光ビームを合成し、感光体ドラムに照射して、黒色の潜像を形成する。
また、図６（ｂ）はフルカラーモード時のビーム合成プリズムの姿勢を示しており、ビーム合成プリズム５４から伸びた回転軸５５は光書込み装置５上の軸受け形状５６で軸固定され、ビーム合成プリズムは回転軸５５を中心として回転し、２つのレーザダイオードＬＤ３，ＬＤ４から出射された光ビームＬ３，Ｌ４と平行な姿勢で光ビームＬ３，Ｌ４の中央に位置することになり、光ビームＬ３，Ｌ４はビーム合成プリズム内を透過しない構成となっている。このとき、２つの光ビームがビーム合成プリズム５４を透過しないようステッピングモータ５７ビーム合成プリズム５４を回動させて、各光ビームを感光体ドラム１〜４に照射して各色の潜像を形成する。
【００３６】
図７は図６（ａ），（ｂ）におけるＸ方向からの様子を示したものである。図７（ａ）におけるビーム合成プリズムの姿勢を第１の状態とした時、ビーム合成プリズムから出射された光ビームＬ３，Ｌ４のビームピッチはｄ１となる。また図７（ｂ）においては、前記第１の状態からθだけ回転した状態であり、この時のビーム合成プリズムの姿勢を第２の状態とした時ビーム合成プリズムから出射された光ビームＬ３，Ｌ４のビームピッチはｄ２となる。この時回転角θを得るため図示しないピッチ可変用ステッピングモータ５７（図２）は特定パルス数回転する。回転量を変化させることによりビームピッチを変える事ができ、回転量は前記ステッピングモータ５７からの駆動パルス数により容易に制御できる。すなわち、ビーム合成プリズム５４にて光ビームＬ３，Ｌ４の副走査方向のビームピッチを画素濃度に応じて調整する。
【００３７】
次に図２〜５に示す構成の光書込み装置５においては、各光ビームＬ１，Ｌ２，Ｌ３，Ｌ４の光路には、主走査方向の走査開始位置の光束を取り出すための図示しない同期検知用ミラーが設けられており、同期検知用ミラーで反射された光束は、図５中に破線で示すように同期検知器（検知手段）８１ａ，８２ａで受光されて走査開始の同期信号（情報）が出力される。また、図示しない同期検知器８１ｂ，８２ｂで受光されて走査終了の同期信号が出力される。同期検知器８１ｂ，８２ｂは同期検知器８１ａ，８２ａに対し角度α（図８）だけ回転して取り付けられている。
【００３８】
ここで、本発明における白黒モード時の光ビームＬ３，Ｌ４の識別方法及び、ビームピッチ測定の一例を図８に示す。図８においてまず光ビームＬ３のみを点灯し同期検知器８２ａからの同期信号と同期検知器８２ｂからの同期信号との時間差ｔ１から光ビームＬ３の主走査方向の走査時間を特定する。次に光ビームＬ４のみを点灯し前記光ビームＬ３と同様にして同期検知器８２ａからの同期信号と同期検知器８２ｂからの同期信号との時間差ｔ２から光ビームＬ４を特定する。光ビームＬ３，Ｌ４の走査時間差より光ビームＬ３，Ｌ４を識別し、また光ビームＬ３，Ｌ４の走査時間差及び同期検知器８２ｂの回転角αよりビームピッチΔｄを算出する。算出された結果より、画素密度に応じたビームピッチを決定することができ、ピッチ調整を容易に行えるようになる。
【００３９】
次に図５に示すように、Ｌ１，Ｌ２，Ｌ３の光ビームの光路に配置された第３折り返しミラー７４，７６，７８にはスキュー調整用のステッピングモータ９２，９３，９４が設けられており、Ｌ４の光ビームの走査線位置を基準にして、Ｌ１，Ｌ２，Ｌ３の光ビームの走査線位置のずれを補正している。なお、光偏向器６２によって偏向走査される光ビームの走査方向が主走査方向であり、これは各感光体ドラムの軸方向である。
【００４０】
また、この主走査方向に直交する方向が副走査方向であり、これは感光体ドラムの回転方向（感光体ドラム表面の移動方向）であり、さらには後述する転写搬送ベルト２２ａの搬送方向である。すなわち転写搬送ベルト２２ａの幅方向が主走査方向、搬送方向が副走査方向となる。
【００４１】
次に図１に示すように、並設された４つの感光体ドラム１，２，３，４の下には駆動ローラと複数の従動ローラに張架された転写搬送ベルト２２ａが配設されており、駆動ローラにより図中に矢印で示す方向に搬送されている。また、画像形成装置の本体下部には記録用紙等の転写材を収納した複数の給紙部２３，２４が設置されており、この給紙部２３，２４に収納された転写材が、給紙ローラ、搬送ローラ、レジストローラ２５を介して転写搬送ベルト２２ａに給紙され、転写搬送ベルト２２ａにより担持され搬送される。
【００４２】
光書込み装置５により各感光体ドラム１，２，３，４に形成された各潜像は、各現像部１０，１１，１２，１３のＹ，Ｍ，Ｃ，Ｂｋの各色のトナーで現像されて顕像化され、その顕像化されたＹ，Ｍ，Ｃ，Ｂｋの各色のトナー画像は、転写搬送装置２２の各転写手段１４，１５，１６，１７により転写搬送ベルト２２ａ上に担持された転写材に順次重ね合わせて転写される。そして、４色の画像が転写された転写材は定着装置２６に搬送され、定着装置２６で画像が定着された後、排紙ローラ２７により排紙トレイ２８上に排出される。
【００４３】
なお、白黒モードの時は、光書込み装置５のブラック用及びイエロー用の光源ユニット５３により書込みが行われ、ブラック用の感光体ドラム１に対して上述の作像動作が行われる。
【００４４】
以上、本発明に係る画像形成装置の構成・動作について説明したが、図１に示す構成の画像形成装置では、４つの感光体ドラム１，２，３，４が並設された作像部や光書込み装置５及び転写搬送装置２２が画像形成装置本体内にコンパクトに収納され、さらには水平方向（図中のＸ方向）に対して斜めに設置されているので、従来の水平配置に比べて設置スペースが小さくて済み、タンデム式のカラー画像形成装置の更なる小型化を達成することができる。
【図面の簡単な説明】
【００４５】
【図１】この発明の光書込み装置を備えた画像形成装置の一例の概略断面図である。
【図２】図１に備える光書込み装置の平面図である。
【図３】図２のＡ−Ａ´断面図である。
【図４】図２の要部平面図である。
【図５】図３の要部断面図である。
【図６】この発明の光書込み装置に備えるビーム合成プリズムの、（ａ）は白黒モード時、（ｂ）はカラーモード時の説明図である。
【図７】（ａ），（ｂ）は、図６（ａ）におけるビーム合成プリズムの白黒モード時のビームピッチの調整を説明するための図である。
【図８】この発明の白黒モード時のＬ３，Ｌ４の識別方法の一例を示した図である。
【符号の説明】
【００４６】
１，２，３，４    感光体ドラム（像担持体）
５    光書込み装置
５２，５３    光源ユニット
５４    ビーム合成プリズム（合成手段）
５７    ステッピングモータ（駆動手段）
６２    光偏向器（偏向手段）
８１ａ，８１ｂ，８２ａ，８２ｂ    同期検知器（検知手段）
ｄ１、ｄ２    ビームピッチ
Ｌ１，Ｌ２，Ｌ３，Ｌ４    光ビーム
ＬＤ１，ＬＤ２，ＬＤ３，ＬＤ４    レーザダイオード（光源）
【図１】
2005091546.tif 000003
【図２】
2005091546.tif 000004
【図３】
2005091546.tif 000005
【図４】
2005091546.tif 000006
【図５】
2005091546.tif 000007
【図６】
2005091546.tif 000008
【図７】
2005091546.tif 000009
【図８】
2005091546.tif 000010